(57)【要約】【課題】自動点灯モードや自動消灯モードの際に音に阻害されることなく目覚めや就寝ができる照明装置を提供することである。【解決手段】送信器１２は、光源の明るさを所定時間後に消灯する自動消灯モードを設定するとともに、タイマーの設定時間のカウントアップ後に自動消灯モードの開始信号を送信する。器具本体１１は、送信器１２から自動消灯モードの開始信号を受信したときは設定音せず、光源１７を消灯する。これにより、音により眠りを妨害することを防止する。【選択図】図１
2010010040.tif 000002
【特許請求の範囲】
【請求項１】
時間をカウントするタイマーを有し、光源の明るさを所定時間後に消灯する自動消灯モードを設定するとともに、自動消灯モードの開始信号を送信する送信器と；
前記送信器から自動消灯モードの開始信号を受信したときは受信音を出力せず、前記送信器で設定された自動消灯モードに従って前記光源を消灯する器具本体と；
を備えたことを特徴とする照明装置。
【請求項２】
時間をカウントするタイマーを有し、光源の明るさを所定時間をかけて増加させて点灯する自動点灯モードを設定するとともに、自動点灯モードの開始信号を送信する送信器と；
前記送信器から自動点灯モードの開始信号を受信したときは受信音を出力せず、前記送信器で設定された自動点灯モードに従って前記光源を増光し点灯する器具本体と；
を備えたことを特徴とする照明装置。
【発明の詳細な説明】
【技術分野】
【０００１】
本発明は、送信器からの信号によって点灯制御する照明装置に関する。
【背景技術】
【０００２】
送信器からの指令により点消灯制御を行えるようにした照明装置では、送信器から操作指令を器具本体に送信し、器具本体は送信器からの操作指令内容に応じて光源を点消灯制御する。通常、器具本体側では、送信器からの操作指令を受信したことを通知するために音を出力しており、また、操作指令に対する操作開始時や操作完了時にも音を出力するようにしている。
【０００３】
一方、照明装置には、自動点灯モードの一例である光刺激によって就寝者を目覚めさせる目覚ましモードを備えた照明装置がある。例えば、目覚ましモードを備えた照明装置として、目覚まし設定時刻の所定時間前から、光源の照度を、低照度、中照度、高照度の順に連続的に変化させ、就寝者の睡眠を深い状態から浅い状態に導くとともに、就寝者の生体リズムを活動期に向かわせるようにしたものがある（例えば、特許文献１参照）。
【特許文献１】特開２００１−３１３１８４号公報
【発明の開示】
【発明が解決しようとする課題】
【０００４】
しかし、目覚ましモードにおいて、目覚まし設定時刻前に就寝者の睡眠を深い状態から浅い状態に導くための操作を開始する際にも、送信器からはその開始をするための信号が送信される。目覚まし設定時刻前に音が出力されると、光刺激によって就寝者の睡眠を深い状態から浅い状態に導くという目的が阻害されることになる。
【０００５】
また、自動消灯モードにおいても、同様に、光源の明るさを所定時間後に消灯する際に、その消灯を指示するための送信信号が送信器から器具本体に送信されるが、器具本体がこの送信信号を受信したことに伴い音が出力されることになる。このことは、自動的に消灯して就寝者の睡眠を阻害しないことも目的であることに対し、音という要因が加わってしまうため好適でない。
【０００６】
本発明の目的は、自動点灯モードや自動消灯モードの際に音に阻害されることなく目覚めや就寝ができる照明装置を提供することである。
【課題を解決するための手段】
【０００７】
請求項１の発明に係わる照明装置は、時間をカウントするタイマーを有し、光源の明るさを所定時間後に消灯する自動消灯モードを設定するとともに、自動消灯モードの開始信号を送信する送信器と；前記送信器から自動消灯モードの開始信号を受信したときは受信音を出力せず、前記送信器で設定された自動消灯モードに従って前記光源を消灯する器具本体と；を備えたことを特徴とする。
【０００８】
本発明及び以下の発明において用語の定義及び技術的意味は以下による。送信器とは、自動消灯モードの設定や器具本体に自動消灯モードの開始信号を送信するための遠隔操作器具をいう。自動消灯モードとは、例えば、光源の明るさを所定時間後に消灯することにより、就寝者が消灯操作をしなくても就寝できるモードをいう。
【０００９】
受信音とは器具本体が送信器からの情報を受信したことに対する応答を知らせるための音であり、例えば、通常時に送信器からの全光または消灯等の信号を受信したときの受信音である。
【００１０】
請求項２の発明に係わる照明装置は、時間をカウントするタイマーを有し、光源の明るさを所定時間をかけて増加させて点灯する自動点灯モードを設定するとともに、自動点灯モードの開始信号を送信する送信器と；前記送信器から自動点灯モードの開始信号を受信したときは受信音を出力せず、前記送信器で設定された自動点灯モードに従って前記光源を増光し点灯する器具本体と；を備えたことを特徴とする。
【００１１】
送信器は、自動点灯モードの設定や器具本体に自動点灯モードの開始信号を送信するための遠隔操作器具である。自動点灯モードとは、例えば、光源の明るさを徐々に増光し所定時間をかけて点灯することにより、目覚め者への光刺激を徐々に大きくして快適に目覚めさせるモードをいう。
【発明の効果】
【００１２】
請求項１の発明によれば、自動消灯モードでは、その自動消灯モードの開始音が出力されないので、光の明暗を演出する機能が音によって阻害されてしまうことを防ぐことができる。
【００１３】
請求項２の発明によれば、自動点灯モードにおいても、その自動点灯モードの開始音は出力されることがないので、光の明暗を演出する機能が音によって阻害されてしまうことを防ぐことができる。
【発明を実施するための最良の形態】
【００１４】
図１は本発明の実施の形態に係わる照明装置の構成図である。本発明の実施の形態の照明装置は、器具本体１１と送信器１２とから構成される。器具本体１１では、商用電源１３からの交流をスイッチ１４を介して整流器１５に入力し、整流器１５で整流して得られた直流を点灯装置１６を介して光源１７に供給して光源１７を点灯する。点灯装置１６はマイコン等からなる制御部１８で制御される。
【００１５】
制御部１８は、自動消灯モード制御手段１９、自動点灯モード制御手段２０、送信器点消灯制御手段２１を有し、送信器１２からの各種の操作指令を受光器２２を介して入力し、また、整流回路１５の出力電圧の状態（スイッチ１４のオンオフ状態）を電源監視部２４から入力し、これらの情報に基づいて点灯装置１６を制御する。また、制御部１８への制御電源は制御電源部２３から供給されている。
【００１６】
送信器１２は、器具本体１２の光源１７を遠隔操作するものであり、タイマー２６を有している。タイマー２６は光源の明るさを所定時間後に消灯する自動消灯モードの際に所定時間をカウントしたり、光源の明るさを所定時間をかけて増加させて点灯する自動点灯モードの際に所定時間をカウントする。
【００１７】
図２は、送信器１２の平面図である。送信器１２は、各種情報を表示するための表示部２７を有する。例えば、現在時刻を表示したり、タイマー２６に設定された所定時間を表示したり、タイマー２６のカウント時間の状況を表示する。
【００１８】
また、タイマー２６に所定時間を設定するためのタイマー設定ＳＷ２８が設けられ、タイマー設定スイッチ２８は、所定時間の時単位を設定するための時間スイッチ２８ａ、所定時間の分単位を設定するための分スイッチ２８ｂを有している。また、予め時間スイッチ２８ａや分スイッチ２８ｂに３０分あるいは６０分という時間を割り当てておいてもよい。
【００１９】
また、器具本体１１の光源１７を全光で点灯する指令を入力するための全光スイッチ２９、器具本体１１の光源１７を消灯する指令を入力するための消灯スイッチ３０、及び器具本体１１の光源１７を調光する指令を入力するための調光スイッチ３１を有している。さらには、自動消灯モードを設定するための簡単ＯＦＦタイマースイッチ３２、及び自動点灯モードを設定するための自動点灯設定スイッチ３３を有している。
【００２０】
通常モード設定時、すなわち、器具本体１１の光源１７を全光するとき、消灯するとき、または調光するときは、全光スイッチ２９、消灯スイッチ３０、または調光スイッチ３１が操作される。これにより、それらの指令信号が送信器１２から送信されて、器具本体の受光器２２で受信され、制御部１８はリモコン点消灯制御手段２１を起動して音出力装置２５から、全光の指令信号、消灯の指令信号、または調光の指令信号を受信したことを報知する受信音が報知される。そして、受信された信号に伴い光源１７の点灯が制御部１８により点灯装置１６を制御して制御される。
【００２１】
次に、自動消灯モードや自動点灯モードの設定時においては、簡単ＯＦＦタイマースイッチ３２あるいは自動点灯設定スイッチ３３が操作されたとき、送信器１２は、通常モード設定時の消灯信号や点灯信号とはコード等を異ならせた信号（自動消灯信号や自動点灯信号）を器具本体１１の受光器２２に送信する。これによって、器具本体１１の制御部１８が通常の消灯信号（点灯信号）と自動消灯信号（自動点灯信号）とを判別することができるようになっている。これにより、器具本体１１の制御部１８は自動消灯信号（自動点灯信号）を受信した場合には受信音を音出力装置２５から送信しないようにしている。
【００２２】
次に、自動消灯モードまたは自動点灯モードを送信器１２で設定する場合について説明する。例えば、自動消灯モードを設定するときは、簡単ＯＦＦタイマースイッチ３２を操作するともに、タイマー設定ＳＷ２８を用いてタイマー２６に自動消灯モードの消灯開始時点までの所定時間を設定する。タイマー２６は設定された所定時間をカウントし、自動消灯モードの開始時点となると消灯開始信号を器具本体１１に送信する。器具本体１１では自動消灯モード消灯開始信号を受光器２２で受信し制御部１８に送信する。この場合、制御部１８は消灯開始信号を受信しても音出力装置２５から応答音を出力しない。
【００２３】
次に、自動点灯モードを設定するときは、自動点灯モードスイッチ３３を操作するともに、タイマー設定ＳＷ２８を用いてタイマー２６に自動点灯モードの点灯開始時点までの所定時間を設定する。タイマー２６は設定された所定時間をカウントし、自動点灯モードの点灯開始時点となると、自動点灯モードの開始信号を器具本体１１に送信する。器具本体１１では自動点灯モードの点灯開始信号を受光器２２で受信し制御部１８に送信する。この場合、制御部１８は点灯開始信号を受信しても音出力装置２５から応答音を出力しない。
【００２４】
次に、送信器１２で設定される設定情報について説明する。例えば、自動消灯モードの場合には、送信器１２で設定される設定情報は、自動消灯モードの開始時点までの所定時間である。図３は自動消灯モードによる光源１７の点灯特性の一例（簡単ＯＦＦタイマーモード）を示すグラフである。自動消灯モードの設定時点（現時点）ｔａの光源１７の明るさは、例えば１００％であり、自動消灯モードの設定時点（現時点）ｔａから自動消灯モードの開始時点ｔｂまでの時間幅Ｔａｂは、タイマ設定スイッチＳＷで、例えば、３０分あるいは６０分というふうに予め設定されているものを選択するか、自由に設定する。
【００２５】
送信器１２は、自動消灯モードの設定情報が設定されたときはタイマー２６をカウント開始し、タイマーのカウント開始から時間Ｔａｂが経過したとき、つまり、自動消灯モードの開始時点ｔｂとなったときは器具本体１１の制御部１８に自動消灯モードの開始信号を送信する。器具本体１１の制御部１８は、送信器１２から時点ｔｂで自動消灯モードの開始信号を受信すると、制御部１８の自動消灯モード制御手段１９を起動する。自動消灯モード制御手段１９は、自動消灯モードの開始時点ｔｂで光源１７を減光し消灯するが、自動消灯モードの開始信号を受信しても音は出力しない。これにより、音により眠りを妨害されることがない。
【００２６】
次に、送信器１２で設定される設定情報が自動点灯モードの設定情報である場合について説明する。自動点灯モードの設定情報は、目覚め者の好みにより設定できる情報であり、例えば、目覚め設定時刻の光源の明るさ、目覚め設定時刻から逆算して増光開始時刻を定める時間幅などである。
【００２７】
図４は自動点灯モードによる光源１７の点灯特性の一例を示すグラフである。目覚め設定時刻（点灯完了時刻）ｔｄの光源１７の明るさは、０％〜１００％の範囲で設定する。例えば、目覚め設定時刻ｔｄの光源１７の明るさとして、１００％を設定したときは曲線Ｓ１１の特性に従って光源１７を増光し点灯し、７０％を設定したときは曲線Ｓ１２の特性に従って光源１７を増光し点灯し、５０％を設定したときは曲線Ｓ１３の特性に従って光源１７を増光し点灯し、３０％を設定したときは曲線Ｓ１４の特性に従って光源１７を増光し点灯することになる。点灯完了時刻ｔｄから逆算して増光開始時刻ｔｅを定める時間幅Ｔｄｅは、タイマー設定スイッチ２８により、３０分あるいは４５分というふうに予め設定しておいたものから選択するか自由に設定する。
【００２８】
送信器１２は自動点灯モードの設定情報が設定されたときは現在時刻からタイマー２６をカウント開始し、増光開始時刻ｔｅとなったときは器具本体１１の制御部１８に自動点灯モードの開始信号を送信する。
【００２９】
送信器１２から増光開始時刻ｔｅで自動点灯モードの開始信号を受信すると、
制御部１８の自動点灯モード制御手段２０は、設定情報で特定される特性曲線Ｓに従って光源１７を増光し点灯する。この場合、制御部１８の自動点灯モード制御手段２０は、自動点灯モードの開始信号を受信しても増光開始時刻ｔｅで音は出力しない。これにより、音により眠りを妨害されることがない。
【００３０】
なお、自動点灯モードにおける点灯完了時刻ｔｄの時点においては、器具本体１１の音出力装置２５から音を出力するようにしている。これは、器具本体１１の制御部１８側の一機能として、点灯完了時刻ｔｄで目標点灯値の最終値になった場合には、音出力装置２５から音を出力することによって、最終値に達したこと及び目覚め時に光に加えて音の要因を追加することができるため、覚醒効果を向上させることができるようにするためである。
【００３１】
次に、送信器１２による通常モードの点消灯制御について説明する。送信器１２から点灯指令または消灯指令があったときは、制御部１８は送信器点消灯制御手段２１を起動する。送信器点消灯制御手段２１は電源監視部２４から整流回路１５の出力電圧の状態を入力し、整流回路１５の出力電圧が所定値以上のときは、スイッチ１４がオンしていると判断し、送信器１２からの点灯指令または消灯指令に応答する。
【００３２】
図５は、送信器による点消灯制御の光源の点消灯特性の一例を示すグラフであり、図５（ａ）は点灯特性のグラフ、図５（ｂ）は消灯特性のグラフである。図５（ａ）に示すように、光源１７を点灯するときは、点灯指令とともに点灯完了したときの光源１７の明るさが０％〜１００％の範囲で設定される。例えば、光源１７の明るさとして、１００％を設定したときは曲線Ｐ１１の特性に従って光源１７を増光し点灯し、７０％を設定したときは曲線Ｐ１２の特性に従って光源１７を増光し点灯し、４０％を設定したときは曲線Ｐ１３の特性に従って光源１７を増光し点灯することになる。
【００３３】
送信器１２から時点ｔｆで点灯指令があったときは、制御部１８の送信器点消灯制御手段２１は、電源監視部２４からの情報に基づきスイッチ１４がオンしていることを確認して、所定時間Ｔｆｇをかけて時点ｔｇで点灯するようにゆっくりと点灯情報を満たす特性曲線Ｐに従ってフェード点灯する。所定時間Ｔｇｆは、通常３秒程度である。これにより、点灯指令を出力してからゆっくりと光源１７が点灯するので高級感を演出できる。
【００３４】
同様に、図５（ｂ）に示すように、光源１７を消灯するときは、消灯指令とともに消灯開始時点の光源１７の明るさが０％〜１００％の範囲で設定される。例えば、光源１７の明るさとして、１００％を設定したときは曲線Ｑ１１の特性に従って光源１７を減光し消灯し、６０％を設定したときは曲線Ｑ１２の特性に従って光源１７を減光し消灯し、２０％を設定したときは曲線Ｑ１３の特性に従って光源１７を減光し消灯することになる。
【００３５】
送信器１２から時点ｔｈで消灯指令があったときは、制御部１８の送信器点消灯制御手段２１は、電源監視部２４からの情報に基づきスイッチ１４がオンしていることを確認して、所定時間Ｔｈｉをかけて時点ｔｉで消灯するようにゆっくりと消灯情報を満たす特性曲線Ｑに従ってフェード消灯する。所定時間Ｔｈｉは、通常３秒程度である。これにより、消灯指令を出力してからゆっくりと光源１７が消灯するので高級感を演出できる。
【００３６】
以上の説明では、制御部１８は、自動消灯モード制御手段１９、自動点灯モード制御手段２０、送信器点消灯制御手段２１を有した場合について説明したが、これら３つの手段のうち、いずれか１つの手段を持つようにしてもよいし、２つの手段を持つ用意してもよい。
【００３７】
発明の実施の形態によれば、自動消灯モードでは、光源の明るさを徐々に減光し所定時間をかけて消灯し、しかも、減光して最後に消灯した際には消灯を知らせるための音を出力しないので、音により眠りを妨害されることなく就寝できる。また、自動点灯モードでは、目覚まし設定時刻前に音が出力されることがないので、目覚まし設定時刻前の光刺激が少ないまどろみ状態において音による睡眠の妨害がないので、快適な目覚めができる。
【００３８】
また、自動消灯モードや自動点灯モード以外の通常モードでの点消灯においては、フェード点灯やフェード消灯を行うので、高級感を演出できる。
【図面の簡単な説明】
【００３９】
【図１】本発明の実施の形態に係わる照明装置の構成図。
【図２】本発明の実施の形態における送信器の平面図。
【図３】本発明の実施の形態における自動消灯モードによる光源の点灯特性の一例を示すグラフ。
【図４】本発明の実施の形態における自動点灯モードによる光源の点灯特性の一例を示すグラフ。
【図５】本発明の実施の形態における送信器による点消灯制御の光源の点消灯特性の一例を示すグラフ。
【符号の説明】
【００４０】
１１…器具本体、１２…送信器、２６…タイマー、１３…商用電源、１４…スイッチ、１５…整流器、１６…点灯装置、１７…光源、１８…制御部、１９…自動消灯モード制御手段、２０…自動点灯モード制御手段、２１…送信器点消灯制御手段、２２…受光器、２３…制御電源部、２４…電源監視部、２５…音出力装置
【図１】
2010010040.tif 000003
【図２】
2010010040.tif 000004
【図３】
2010010040.tif 000005
【図４】
2010010040.tif 000006
【図５】
2010010040.tif 000007